(57)【要約】【課題】鉄骨躯体に対する変形追従性および仕上げの自由度を両立する。【解決手段】鉄骨躯体２に対して水平方向に変位可能に上部を連結し鉄骨躯体２の基礎に下端を固定してなる第１のＲＣ壁１を備える。また、鉄骨躯体２に対して上部を吊り下げて固定し鉄骨躯体２に対して水平方向に変位可能に下部を連結して鉄骨躯体２の基礎と下端との間に隙間部を設けてなる第２のＲＣ壁１０１を備える。これにより敷地形状やアプローチなどの特殊条件によって通常基準階と異なる１階部分について好適な在来ＲＣ壁を用い、鉄骨躯体に対する変形追従性、および仕上げの自由度を両立することができる。さらに、鉄骨躯体２の隅部２Ｃを境に目地２００を介して第１のＲＣ壁１と第２のＲＣ壁１０１とを各々独立して設ければ、鉄骨躯体２に対して３次元的に変形追従性を確保することができる。【選択図】        図９
2005220607.tif 000002
【特許請求の範囲】
【請求項１】
ＲＣ壁の上部を鉄骨躯体に対して水平方向に変位可能に連結し、前記ＲＣ壁の下端を前記鉄骨躯体の基礎に固定したことを特徴とする鉄骨造建物のＲＣ壁取付構造。
【請求項２】
ＲＣ壁の上部を鉄骨躯体に対して吊り下げて固定し、前記ＲＣ壁の下部を前記鉄骨躯体に対して水平方向に変位可能に連結して前記鉄骨躯体の基礎と前記ＲＣ壁の下端との間に隙間部を設けたことを特徴とする鉄骨造建物のＲＣ壁取付構造。
【請求項３】
前記鉄骨躯体の隅部を境にして前記ＲＣ壁を各々独立して設けたことを特徴とする請求項１または２に記載の鉄骨造建物のＲＣ壁取付構造。
【請求項４】
鉄骨躯体に対して水平方向に変位可能に上部を連結し、前記鉄骨躯体の基礎に下端を固定してなる第１のＲＣ壁と、
鉄骨躯体に対して上部を吊り下げて固定し、前記鉄骨躯体に対して水平方向に変位可能に下部を連結して前記鉄骨躯体の基礎と下端との間に隙間部を設けてなる第２のＲＣ壁と
を備え、前記鉄骨躯体の隅部を境にして前記第１のＲＣ壁と前記第２のＲＣ壁とを各々独立して設けたことを特徴とする鉄骨造建物のＲＣ壁取付構造。
【発明の詳細な説明】
【技術分野】
【０００１】
本発明は、鉄骨造建物のＲＣ壁取付構造に関し、特に鉄骨造建物の１階部分での在来ＲＣ壁の取付構造に関するものである。
【背景技術】
【０００２】
従来、カーテンウォールを簡単かつ安価に取り付ける目的としたカーテンウォールの取付構造が知られている。具体的には、カーテンウォールの上部または下部のいずれか一方側をスラブに対して一体に固定するとともに、他方側を梁に対してファスナーを介してロッキング可能かつスウェイ可能な状態で連結している（例えば、特許文献１参照）。
【０００３】
ところで、鉄骨造建物において、その外壁には１／１００程度の変形追従能力が構造的に要求される。このため、規格化された乾式の外壁としてＰＣ（プレキャストコンクリート）板、ＡＬＣ（軽量気泡コンクリート）板、押出成形セメント板あるいは金属系壁板などが用いられ、上記特許文献１のように変形追従性を備えた取付構成が採用される。
【０００４】
【特許文献１】特開２００３−１１９９４１号公報
【発明の開示】
【発明が解決しようとする課題】
【０００５】
しかしながら、商業建築の場合、上記乾式の外壁では、１階部分の建物の顔となる部分に目地が多く出る、あるいは仕上げの自由度の確保が難しいなどの問題がある。これは、１階部分が通常基準階と異なって敷地形状やアプローチなどの特殊条件があることによる。また、外壁面に仕上げ上石やタイルが要求される場合は、部分的に在来ＲＣ壁を用いて柱・梁と縁切りをする、あるいは１階を全面的にＳＲＣ造（２階梁をＳＲＣ造）とすることが考えられる。いずれにしても、在来ＲＣ壁を用いるときには、鉄骨躯体に対する変形追従性、および仕上げの自由度の両立が要求される。
【０００６】
本発明は、上記実情に鑑みて、鉄骨造建物において鉄骨躯体に対する変形追従性、および仕上げの自由度を両立することができる鉄骨造建物のＲＣ壁取付構造を提供することを目的とする。
【課題を解決するための手段】
【０００７】
上記の目的を達成するために、本発明の請求項１に係る鉄骨造建物のＲＣ壁取付構造は、ＲＣ壁の上部を鉄骨躯体に対して水平方向に変位可能に連結し、前記ＲＣ壁の下端を前記鉄骨躯体の基礎に固定したことを特徴とする。
【０００８】
本発明の請求項２に係る鉄骨造建物のＲＣ壁取付構造は、ＲＣ壁の上部を鉄骨躯体に対して吊り下げて固定し、前記ＲＣ壁の下部を前記鉄骨躯体に対して水平方向に変位可能に連結して前記鉄骨躯体の基礎と前記ＲＣ壁の下端との間に隙間部を設けたことを特徴とする。
【０００９】
本発明の請求項３に係る鉄骨造建物のＲＣ壁取付構造は、上記請求項１または２において、前記鉄骨躯体の隅部を境にして前記ＲＣ壁を各々独立して設けたことを特徴とする。
【００１０】
本発明の請求項４に係る鉄骨造建物のＲＣ壁取付構造は、鉄骨躯体に対して水平方向に変位可能に上部を連結し、前記鉄骨躯体の基礎に下端を固定してなる第１のＲＣ壁と、鉄骨躯体に対して上部を吊り下げて固定し、前記鉄骨躯体に対して水平方向に変位可能に下部を連結して前記鉄骨躯体の基礎と下端との間に隙間部を設けてなる第２のＲＣ壁とを備え、前記鉄骨躯体の隅部を境にして前記第１のＲＣ壁と前記第２のＲＣ壁とを各々独立して設けたことを特徴とする。
【発明の効果】
【００１１】
本発明に係る鉄骨造建物のＲＣ壁取付構造は、ＲＣ壁の上部を鉄骨躯体に対して水平方向に変位可能に連結し、ＲＣ壁の下端を鉄骨躯体の基礎に固定したことにより、鉄骨躯体に対する変形追従性をＲＣ壁に備えることができる。これにより、敷地形状やアプローチなどの特殊条件によって通常基準階と異なる１階部分について好適な材料である在来のＲＣ壁を用いることができる。この結果、鉄骨躯体に対する変形追従性、および仕上げの自由度を両立することができ、在来ＲＣ壁による減額効果および工程短縮効果をも得ることができる。
【００１２】
本発明に係る鉄骨造建物のＲＣ壁取付構造は、ＲＣ壁の上部を鉄骨躯体に対して吊り下げて固定し、前記ＲＣ壁の下部を前記鉄骨躯体に対して水平方向に変位可能に連結して前記鉄骨躯体の基礎と前記ＲＣ壁の下端との間に隙間部を設けたことにより、鉄骨躯体に対する変形追従性をＲＣ壁に備えることができる。これにより、敷地形状やアプローチなどの特殊条件によって通常基準階と異なる１階部分について好適な材料である在来のＲＣ壁を用いることができる。この結果、鉄骨躯体に対する変形追従性、および仕上げの自由度を両立することができ、在来ＲＣ壁による減額効果および工程短縮効果をも得ることができる。
【００１３】
また、鉄骨躯体の隅部を境にして上述したＲＣ壁を各々独立して設けたことにより、鉄骨躯体に対して３次元的に変形追従性を確保することができる。
【発明を実施するための最良の形態】
【００１４】
以下に添付図面を参照して、本発明に係る鉄骨造建物のＲＣ壁取付構造の好適な実施例を詳細に説明する。なお、この実施例によりこの発明が限定されるものではない。
【実施例１】
【００１５】
図１は本発明に係る鉄骨造建物のＲＣ壁取付構造の実施例１を示す側断面図、図２は本発明に係る鉄骨造建物のＲＣ壁取付構造の実施例１を示す正面図、図３は本発明に係る鉄骨造建物のＲＣ壁取付構造の実施例１を示す平面断図、図４は本発明に係る鉄骨造建物のＲＣ壁取付構造の実施例１を示す側面拡大断面図、図５は本発明に係る鉄骨造建物のＲＣ壁取付構造の実施例１を示す背面拡大断面図、図６は本発明に係る鉄骨造建物のＲＣ壁取付構造の実施例１を示す底面拡大断面図である。
【００１６】
図１〜図３に示すＲＣ壁１は、在来のＲＣ壁であって、建物の１階部分で立上り壁として構成してある。このＲＣ壁１は、上部を鉄骨躯体２に対して水平方向（ＲＣ壁１の壁面に沿う方向）に変位可能に連結部材３を介して連結し、下端を鉄骨躯体２の基礎４に固定することにより、上部を水平方向に変位可能にして鉄骨躯体２に対する変位追従性を確保してある。連結部材３は、鉄骨躯体２の梁２Ａ側と、ＲＣ壁１の屋内側（背面側）との間に設けてある。なお、図１〜図３において一点鎖線で示す部分は、鉄骨躯体２を構成する柱２Ｂであり、当該柱２Ｂに梁２Ａが固定してある。
【００１７】
図４に示すように連結部材３は、側面視で断面略Ｌ字状をなしている。そして、連結部材３は、図４〜図６に示すように水平な形態の水平片３Ａを鉄骨躯体２の梁２Ａ側に取り付けてあり、垂直な形態の垂直片３ＢをＲＣ壁１の屋内側（背面側）の壁面に取り付けてある。
【００１８】
連結部材３の水平片３Ａの取り付けに関し、梁２Ａの下側には、固定板５を設けてある。固定板５は、梁２Ａの下面に垂下して溶接された各支持板６の下端に水平な形態で溶接して固定してある。水平片３Ａは、上記固定板５に取り付けてある。具体的に、固定板５には、ＲＣ壁１の壁面方向に沿う長手形状の長穴５ａを設けてある。長穴５ａは、固定板５に対して自身の長手方向に沿って２箇所に穿設してある。一方、水平片３Ａには、長穴５ａに直交する方向（すなわちＲＣ壁１の厚さ方向）に長手形状の長穴３Ａａを設けてある。長穴３Ａａは、水平片３Ａに対して自身の長手方向に沿って２箇所に穿設してある。
【００１９】
そして、水平片３Ａを固定板５に取り付ける際、水平片３Ａの各長穴３Ａａと固定板５の各長穴５ａとをそれぞれ略十字状になるように水平片３Ａを固定板５に重ね合わせ、これら水平片３Ａと固定板５とを一対の座金７で挟むようにしてボルト８ａおよびナット８ｂで締め付け固定する。これにより、連結部材３が、鉄骨躯体２の梁２Ａに対して水平片３ＡをＲＣ壁１の壁面方向および厚さ方向である水平方向に変位可能に取り付けられる。
【００２０】
連結部材３の垂直片３Ｂの取り付けに関し、ＲＣ壁１には、屋内側（背面側）に延出するアンカーボルト１０を設けてある。垂直片３Ｂは、上記アンカーボルト１０を介してＲＣ壁１に取り付けてある。具体的に、アンカーボルト１０は、略Ｌ字状に屈曲した屈曲部１０ａをＲＣ壁１の内部に埋設してあり、ボルト部１０ｂをＲＣ壁１の屋内側（背面側）の壁面から延出してある。一方、垂直片３Ｂには、アンカーボルト１０のボルト部１０ｂを遊挿する大形穴３Ｂａを設けてある。本実施例における大形穴３Ｂａは、図５に示すように略矩形状に形成してある。また、垂直片３ＢのＲＣ壁１側に向く面には、アンカーボルト１０のボルト部１０ｂを貫通させる滑り板１２を設けてある。
【００２１】
そして、垂直片３ＢをＲＣ壁１に取り付ける際、滑り板１２をＲＣ壁１の壁面に重ね合わせる。このとき、垂直片３Ｂの大形穴３Ｂａにアンカーボルト１０のボルト部１０ｂを遊挿させる。次いで、アンカーボルト１０のボルト部１０ｂを貫通させた支持座金１３を垂直片３Ｂの面に重ね合わせる。この支持座金１３は、ＲＣ壁１の壁面方向に沿う長手形状の長穴１３ａを設けてある。次いで、アンカーボルト１０のボルト部１０ｂを貫通させた座金１４を支持座金１３の面に重ね合わせる。次いで、アンカーボルト１０のボルト部１０ｂにナット１０ｃを締め付けて垂直片３Ｂ、支持座金１３および座金１４を固定する。最後に、支持座金１３を垂直片３Ｂに溶接して固定する。すなわち、アンカーボルト１０のボルト部１０ｂを遊挿している垂直片３Ｂの大形穴３Ｂａが支持座金１３の長穴１３ａに置き換えられることになる。これにより、ＲＣ壁１は、鉄骨躯体２の梁２Ａに取り付けられた連結部材３の垂直片３Ｂに対して、自身の壁面方向である水平方向に変位可能に取り付けられる。
【００２２】
なお、垂直片３ＢをＲＣ壁１に取り付ける際、垂直片３Ｂに設けた滑り板１２と、ＲＣ壁１の壁面とが適宜重ね合わないときは、水平片３Ａを固定するナット８ｂを緩めて、水平片３Ａを長穴３Ａａの長手方向に沿って移動させることによって、滑り板１２とＲＣ壁１の壁面とを適宜重ね合うように位置調整することができる。また、垂直片３ＢをＲＣ壁１に取り付ける際、垂直片３Ｂの大形穴３Ｂａの略中央にアンカーボルト１０のボルト部１０ｂを遊挿させることができないときには、水平片３Ａを固定するナット８ｂを緩めて、水平片３Ａを長穴５ａの長手方向に沿って移動させることによって、大形穴３Ｂａの略中央にボルト部１０ｂを遊挿させて、ＲＣ壁１の水平方向の変位が双方に均等になるように位置調整することができる。すなわち、水平片３Ａを固定板５に取り付ける際にナット８ｂを仮締めして、垂直片３ＢをＲＣ壁１に取り付ける際に、ナット１０ｃを締め付けて垂直片３Ｂ、支持座金１３および座金１４を固定して、支持座金１３を垂直片３Ｂに溶接する以前にナット８ｂを本締めすればよい。さらにまた、垂直片３Ｂの大形穴３Ｂａは、ボルト部１０ｂの上下方向の寸法誤差を吸収して当該ボルト部１０ｂを遊挿することができる。
【００２３】
このように、ＲＣ壁１の上部を連結部材３を介して鉄骨躯体２に取り付けたことによって、鉄骨躯体２に対する変形追従性をＲＣ壁１に備えることが可能になる。さらに、ＲＣ壁１の下端を鉄骨躯体２の基礎に固定したことによって、ＲＣ壁１の下端において、１階部分の建物の顔となる部分に目地が多く出ることがなく、また仕上げの自由度を確保することが可能になる。
【実施例２】
【００２４】
図７は本発明に係る鉄骨造建物のＲＣ壁取付構造の実施例２を示す側断面図、図８は本発明に係る鉄骨造建物のＲＣ壁取付構造の実施例２を示す正面図、図９は本発明に係る鉄骨造建物のＲＣ壁取付構造の実施例２を示す平断面図、図１０は本発明に係る鉄骨造建物のＲＣ壁取付構造の実施例２を示す平面拡大断面図、図１１は本発明に係る鉄骨造建物のＲＣ壁取付構造の実施例２を示す側面拡大断面図、図１２は本発明に係る鉄骨造建物のＲＣ壁取付構造の実施例２を示す背面拡大断面図である。
【００２５】
図７〜図９に示すＲＣ壁１０１は、在来のＲＣ壁であって、建物の１階部分で垂れ壁として構成してある。このＲＣ壁１０１は、上部を鉄骨躯体２に対して吊り下げて固定し、下部を鉄骨躯体２に対して水平方向（ＲＣ壁１０１の壁面に沿う方向）に変位可能に連結部材１０３を介して連結して、下端と鉄骨躯体２の基礎４との間に隙間部１００を設けることにより、下部を水平方向に変位可能にして鉄骨躯体２に対する変位追従性を確保してある。連結部材１０３は、鉄骨躯体２の柱２Ｂ側と、ＲＣ壁１０１の屋内側（背面側）との間に設けてある。なお、本実施例において、柱２Ｂは、図８に示すように鉄骨躯体２を構成する梁２Ａを固定する柱２Ｂａ、および梁２Ａと基礎４との間に設けた柱２Ｂｂを含む。また、本実施例において、垂れ壁として構成したＲＣ壁１０１は、建物の１階部分の玄関である開口部１０１ａを有するものである。
【００２６】
図１０に示すように連結部材１０３は、平面視で断面略Ｌ字状をなしている。そして、連結部材１０３は、図１０〜図１２に示すように垂直な形態の第１垂直片１０３ＡをＲＣ壁１の屋内側（背面側）の壁面に取り付けてり、垂直な形態の第２垂直片１０３Ｂを鉄骨躯体２の柱２Ｂ側に取り付けてある。なお、図１０〜図１２で示す連結部材１０３は、図８および図９で左側に示す鉄骨躯体２の隅部（出隅部）２Ｃをなす柱２Ｂａに取り付ける構成を図示してある。
【００２７】
連結部材１０３の第１垂直片１０３Ａの取り付けに関し、ＲＣ壁１０１には、屋内側（背面側）に延出するアンカーボルト１１０を設けてある。第１垂直片１０３Ａは、上記アンカーボルト１１０を介してＲＣ壁１０１に取り付けてある。具体的に、アンカーボルト１１０は、略Ｌ字状に屈曲した屈曲部１１０ａをＲＣ壁１０１の内部に埋設してあり、ボルト部１１０ｂをＲＣ壁１０１の屋内側（背面側）の壁面から延出してある。一方、第１垂直片１０３Ａには、アンカーボルト１１０のボルト部１１０ｂを挿通する長穴１０３Ａａを設けてある。長穴１０３Ａａは、ＲＣ壁１の壁面方向に沿う長手形状に形成してある。また、第１垂直片１０３ＡのＲＣ壁１０１側に向く面には、アンカーボルト１１０のボルト部１１０ｂを貫通させる滑り板１１２が設けてある。
【００２８】
そして、第１垂直片１０３ＡをＲＣ壁１０１に取り付ける際、アンカーボルト１１０のボルト部１１０ｂを貫通させた滑り板１１２をＲＣ壁１０１の壁面に重ね合わせる。次いで、アンカーボルト１１０のボルト部１１０ｂを貫通させた座金１１４を第１垂直片１０３Ａの面に重ね合わせる。次いで、アンカーボルト１１０のボルト部１１０ｂにナット１１０ｃを締め付けて第１垂直片１０３Ａおよび座金１１４を固定する。これにより、連結部材３が、ＲＣ壁１０１に対して第１垂直片１０３ＡをＲＣ壁１の水平方向に変位可能に取り付けられる。
【００２９】
連結部材１０３の第２垂直片１０３Ｂの取り付けに関し、鉄骨躯体２の柱２Ｂには、固定板１１５を設けてある。固定板１１５は、柱２Ｂの側面に垂直に溶接して固定してある。第２垂直片１０３Ｂは、上述のごとく第１垂直片１０３ＡをＲＣ壁１０１に取り付けた後、固定板１１５に重ね合わせて溶接して取り付けられる。これにより、連結部材３が、鉄骨躯体２の梁２Ａに対して水平片３ＡをＲＣ壁１の壁面方向および厚さ方向である水平方向に変位可能に取り付けられる。この結果、ＲＣ壁１０１は、鉄骨躯体２の柱２Ｂに取り付けられた連結部材１０３の第１垂直片１０３Ａに対して、自身の壁面方向である水平方向に変位可能に取り付けられて、鉄骨躯体２の基礎４とＲＣ壁１０１の下端との間に隙間部１００が設けられる。
【００３０】
なお、第２垂直片１０３ＢをＲＣ壁１０１に取り付ける際、第２垂直片１０３Ｂと固定板１１５とが適宜重ね合わないときは、厚さや大きさを変えた固定板１１５を採用すればよい。すなわち、第１垂直片１０３ＡをＲＣ壁１０１に取り付けた後、柱２Ｂと第２垂直片との位置に合わせて固定板１１５を選択して柱２Ｂに溶接した後に、当該固定板１１５に第２垂直片１０３Ｂを重ね合わせて溶接すればよい。
【００３１】
なお、上述した実施例２では、図８および図９で左側に示す鉄骨躯体２の隅部（出隅部）の柱２ＢａにＲＣ壁１０１を取り付ける構成を図示して説明している。他に、柱２Ｂｂや図８および図９で右側に示す鉄骨躯体２の平面部の柱２ＢａにＲＣ壁１０１を取り付ける構成も同様にして連結部材１０３によって取り付けることができる。
【００３２】
このように、ＲＣ壁１０１の上部を鉄骨躯体２に対して吊り下げて固定し、ＲＣ壁１０１の下部を鉄骨躯体２に対して連結部材１０３を介して鉄骨躯体２に取り付けて、鉄骨躯体２の基礎４とＲＣ壁１０１の下端との間に隙間部１００を設けたことによって鉄骨躯体２に対する変形追従性をＲＣ壁１に備えることが可能になる。さらに、鉄骨躯体２の基礎４とＲＣ壁１０１の下端との間に隙間部１００を設けたことによって、ＲＣ壁１の下端において、１階部分の建物の顔となる部分に目地が多く出ることがなく、また仕上げの自由度を確保することが可能になる。
【実施例３】
【００３３】
上述した実施例１におけるＲＣ壁１、あるいは実施例２におけるＲＣ壁１０１を鉄骨躯体２の隅部でＬ型に繋げて構成した場合では、剛性を有してしまうために鉄骨躯体２に対する変形追従性が相殺されてしまうことになる。本実施例では、この隅部での問題を解消するための鉄骨造建物のＲＣ壁取付構造を説明する。なお、以下に説明する実施例３において、上述した実施例１および実施例２と同等部分には、同じ符号を付して説明する。
【００３４】
図９では、鉄骨躯体２に対して上部を水平変位可能に取り付けたＲＣ壁１（実施例１参照）と、鉄骨躯体２に対して下部を水平変位可能に取り付けたＲＣ壁１０１（実施例２参照）とを、鉄骨躯体２の隅部（出隅部）２Ｃを境にして設けた形態を示す。
【００３５】
図９に示すように、鉄骨躯体２の隅部（出隅部）２Ｃを境にして、第１のＲＣ壁としてのＲＣ壁１と、第２のＲＣ壁としてのＲＣ壁１０１とを各々独立して構成する。具体的には、隅部２Ｃに沿う目地２００を設けて各々ＲＣ壁１，１０１を切る形態とする。このように、隅部２Ｃを境にした目地２００を介してＲＣ壁１，１０１を各々独立して設けることにより、ＲＣ壁１，１０１を鉄骨躯体２に対して異なる水平方向に変位可能に取り付けることが可能になる。すなわち、３次元的にも問題のない変形追従性を確保したＲＣ壁取付構造を得ることが可能になる。
【００３６】
なお、上述した実施例３では、鉄骨躯体２の隅部２Ｃを境にした目地２００を介して上部を水平変位可能に取り付けたＲＣ壁１（実施例１参照）と、下部を水平変位可能に取り付けたＲＣ壁１０１（実施例２参照）とを各々独立して取り付けた形態を説明した。この他、壁面に直交する袖壁が短く他の壁に干渉しない場合に、隅部２Ｃを境にした目地２００を介して上部を水平変位可能に取り付けた各ＲＣ壁１，１（実施例１参照）を各々独立して取り付けた形態としても３次元的に変形追従性を確保したＲＣ壁取付構造を得ることができる。さらに、壁面に直交する袖壁が短く他の壁に干渉しない場合に、隅部２Ｃを境にした目地２００を介して下部を水平変位可能に取り付けたＲＣ壁１０１，１０１（実施例２参照）を各々独立して取り付けた形態としても３次元的に変形追従性を確保したＲＣ壁取付構造を得ることができる。
【００３７】
なお、上述した実施例３では、鉄骨躯体２の隅部２Ｃとして出隅部を図示して説明しているが、入隅部であって隅部を境にしてＲＣ壁を各々独立して取り付けても鉄骨躯体２に対して３次元的な変形追従性を確保することが可能である。
【産業上の利用可能性】
【００３８】
以上のように、本発明に係る鉄骨造建物のＲＣ壁取付構造は、鉄骨造建物の１階部分での在来ＲＣ壁の取り付けに有用であり、特に、鉄骨造建物において鉄骨躯体に対する変形追従性、および仕上げの自由度を両立することに適している。
【図面の簡単な説明】
【００３９】
【図１】本発明に係る鉄骨造建物のＲＣ壁取付構造の実施例１を示す側断面図である。
【図２】本発明に係る鉄骨造建物のＲＣ壁取付構造の実施例１を示す正面図である。
【図３】本発明に係る鉄骨造建物のＲＣ壁取付構造の実施例１を示す平断面図である。
【図４】本発明に係る鉄骨造建物のＲＣ壁取付構造の実施例１を示す側面拡大断面図である。
【図５】本発明に係る鉄骨造建物のＲＣ壁取付構造の実施例１を示す背面拡大断面図である。
【図６】本発明に係る鉄骨造建物のＲＣ壁取付構造の実施例１を示す底面拡大断面図である。
【図７】本発明に係る鉄骨造建物のＲＣ壁取付構造の実施例２を示す側断面図である。
【図８】本発明に係る鉄骨造建物のＲＣ壁取付構造の実施例２を示す正面図である。
【図９】本発明に係る鉄骨造建物のＲＣ壁取付構造の実施例２を示す平断面図である。
【図１０】本発明に係る鉄骨造建物のＲＣ壁取付構造の実施例２を示す平面拡大断面図である。
【図１１】本発明に係る鉄骨造建物のＲＣ壁取付構造の実施例２を示す側面拡大断面図である。
【図１２】本発明に係る鉄骨造建物のＲＣ壁取付構造の実施例２を示す背面拡大断面図である。
【符号の説明】
【００４０】
１    ＲＣ壁
２    鉄骨躯体
２Ａ    梁
２Ｂ（２Ｂａ，２Ｂｂ）    柱
２Ｃ    隅部
３    連結部材
３Ａ    水平片
３Ａａ    長穴
３Ｂ    垂直片
３Ｂａ    大形穴
４    基礎
５    固定板
５ａ    長穴
６    支持板
７    座金
８ａ    ボルト
８ｂ    ナット
１０    アンカーボルト
１０ａ    屈曲部
１０ｂ    ボルト部
１０ｃ    ナット
１２    滑り板
１３    支持座金
１３ａ    長穴
１４    座金
１００    隙間部
１０１    ＲＣ壁
１０１ａ    開口部
１０３    連結部材
１０３Ａ    第１垂直片
１０３Ａａ    長穴
１０３Ｂ    第２垂直片
１１０    アンカーボルト
１１０ａ    屈曲部
１１０ｂ    ボルト部
１１０ｃ    ナット
１１２    滑り板
１１４    座金
１１５    固定板
２００    目地
【図１】
2005220607.tif 000003
【図２】
2005220607.tif 000004
【図３】
2005220607.tif 000005
【図４】
2005220607.tif 000006
【図５】
2005220607.tif 000007
【図６】
2005220607.tif 000008
【図７】
2005220607.tif 000009
【図８】
2005220607.tif 000010
【図９】
2005220607.tif 000011
【図１０】
2005220607.tif 000012
【図１１】
2005220607.tif 000013
【図１２】
2005220607.tif 000014